【手続補正書】
【提出日】平成19年3月6日(2007.3.6)
【手続補正１】
【補正対象書類名】特許請求の範囲
【補正対象項目名】全文
【補正方法】変更
【補正の内容】
【特許請求の範囲】
【請求項１】
複数の検査依頼元医療施設にそれぞれ設置されている複数の第１の端末と、前記複数の検査依頼元医療施設からの依頼に応じて診断目的の検査を行う複数の検査依頼先医療施設にそれぞれ設置されている複数の第２の端末と、データセンターに設置されているサーバとを、ネットワークを介して接続することにより構成される検査予約システムにおいて用いられる検査予約方法であって、
前記サーバにおいて、前記複数の検査依頼元医療施設毎に、選択された複数の検査依頼先医療施設とそれぞれの検査依頼先医療施設に設置されている検査機器とを対応付けた一覧データを記録媒体に記録させるステップと、
いずれかの検査依頼元医療施設の第１の端末から、当該検査依頼元医療施設によって選択された複数の検査依頼先医療施設に設置されている検査機器の一覧を要求された場合に、前記サーバにおいて、当該検査依頼元医療施設に対応する一覧データを前記記録媒体において検索するステップと、
検索された一覧データを前記サーバから前記第１の端末に送信するステップと、
前記第１の端末において、受信した一覧データに基づいて、当該検査依頼元医療施設によって選択された複数の検査依頼先医療施設に設置されている検査機器の一覧を表示するステップと、
表示された一覧の中から指定された検査依頼先医療施設及び検査機器を表す情報を、前記第１の端末から前記サーバに送信するステップと、
前記サーバにおいて、表示された一覧の中から指定された検査依頼先医療施設における指定された検査機器を用いる検査の予約状況に関する複数の予約枠を含むカレンダーページを表す予約状況データを生成し、前記第１の端末に送信するステップと、
前記第１の端末において、受信した予約状況データに基づいて、複数の予約枠を含むカレンダーページを表示するステップと、
表示されたカレンダーページの中から指定された予約枠を表す検査予約情報を、前記第１の端末から前記サーバに送信するステップと、
前記サーバにおいて、受信した検査予約情報を記録媒体に記録させることにより、検査を予約するステップと、
を具備する検査予約方法。
【請求項２】
前記サーバにおいて、検査の状況を表すステータス情報を設定するステップと、
前記第１の端末において、検査の予約後に、設定されたステータス情報に基づいて、検査の状況を表示するステップと、
をさらに具備する請求項１記載の検査予約方法。
【請求項３】
前記サーバにおいて、検査の状況を表すステータス情報を設定するステップと、
前記サーバにおいて、設定されたステータス情報に基づいて、検査の結果得られた医療データへのアクセスを制御するステップと、
をさらに具備する請求項１記載の検査予約方法。
【請求項４】
前記サーバにおいて、検査の状況を表すステータス情報を設定するステップと、
前記サーバにおいて、ステータス情報を変更する際に、関連する医療データの格納場所情報を患者属性情報に関連付けるステップと、
前記第１の端末において医療データが必要となった際に、前記第１の端末からの要求に応じて、検査予約情報に含まれている患者属性情報に基づいて医療データを読み出すステップと、
をさらに具備する請求項１記載の検査予約方法。
【請求項５】
複数の検査依頼元医療施設にそれぞれ設置されている複数の第１の端末と、前記複数の検査依頼元医療施設からの依頼に応じて診断目的の検査を行う複数の検査依頼先医療施設にそれぞれ設置されている複数の第２の端末と、データセンターに設置されているサーバとを、ネットワークを介して接続することにより構成される検査予約システムであって、
いずれかの検査依頼元医療施設によって選択された複数の検査依頼先医療施設に設置されている検査機器の一覧をサーバに要求し、前記サーバから受信した一覧データに基づいて、当該検査依頼元医療施設によって選択された複数の検査依頼先医療施設に設置されている検査機器の一覧を表示すると共に、表示された一覧の中から指定された検査依頼先医療施設及び検査機器を表す情報を前記サーバに送信し、前記サーバから受信した予約状況データに基づいて複数の予約枠を含むカレンダーページを表示し、表示されたカレンダーページの中から指定された予約枠を表す検査予約情報を前記サーバに送信する第１の端末と、
前記複数の検査依頼元医療施設毎に、選択された複数の検査依頼先医療施設とそれぞれの検査依頼先医療施設に設置されている検査機器とを対応付けた一覧データを記録媒体に記録させ、前記第１の端末から、当該検査依頼元医療施設によって選択された複数の検査依頼先医療施設に設置されている検査機器の一覧を要求された場合に、当該検査依頼元医療施設に対応する一覧データを前記記録媒体において検索して得られた一覧データを前記第１の端末に送信すると共に、表示された一覧の中から指定された検査依頼先医療施設における指定された検査機器を用いる検査の予約状況に関する複数の予約枠を含むカレンダーページを表す予約状況データを生成して前記第１の端末に送信し、前記第１の端末から受信した検査予約情報を記録媒体に記録させることにより検査を予約するサーバと、
を具備する検査予約システム。
【請求項６】
前記サーバが、検査の状況を表すステータス情報を設定し、
前記第１の端末が、検査の予約後に、設定されたステータス情報に基づいて、検査の状況を表示する、
請求項５記載の検査予約システム。
【請求項７】
前記サーバが、検査の状況を表すステータス情報を設定し、設定されたステータス情報に基づいて、検査の結果得られた医療データへのアクセスを制御する、請求項５記載の検査予約システム。
【請求項８】
前記サーバが、検査の状況を表すステータス情報を設定し、ステータス情報を変更する際に、関連する医療データの格納場所情報を患者属性情報に関連付け、
前記第１の端末において医療データが必要となった際に、前記第１の端末からの要求に応じて、検査予約情報に含まれている患者属性情報に基づいて医療データを読み出す、
請求項５記載の検査予約システム。
【請求項９】
複数の検査依頼元医療施設にそれぞれ設置されている複数の第１の端末と、前記複数の検査依頼元医療施設からの依頼に応じて診断目的の検査を行う複数の検査依頼先医療施設にそれぞれ設置されている複数の第２の端末とに、ネットワークを介して接続されるサーバであって、
前記複数の検査依頼元医療施設毎に、選択された複数の検査依頼先医療施設とそれぞれの検査依頼先医療施設に設置されている検査機器とを対応付けた一覧データを記録媒体に記録させる制御手段と、
いずれかの検査依頼元医療施設の第１の端末から、当該検査依頼元医療施設によって選択された複数の検査依頼先医療施設に設置されている検査機器の一覧を要求された場合に、当該検査依頼元医療施設に対応する一覧データを前記記録媒体において検索する検索制御手段と、
前記第１の端末において一覧データに基づいて表示された一覧の中から指定された検査依頼先医療施設における指定された検査機器を用いる検査の予約状況に関する複数の予約枠を含むカレンダーページを表す予約状況データを生成する送信データ生成手段と、
前記第１の端末において予約状況データに基づいて表示されたカレンダーページの中から指定された予約枠を表す検査予約情報を記録媒体に記録させることにより、検査を予約する検査予約管理手段と、
を具備するサーバ。
【請求項１０】
前記検査予約管理手段が、検査の状況を表すステータス情報を設定し、
前記送信データ生成手段が、前記第１の端末において検査の予約後に設定されたステータス情報に基づいて検査の状況を表示するように、設定されたステータス情報を含む予約状況データを生成する、
請求項９記載のサーバ。
【請求項１１】
前記検査予約管理手段が、検査の状況を表すステータス情報を設定し、設定されたステータス情報に基づいて、検査の結果得られた医療データへのアクセスを制御する、請求項９記載のサーバ。
【請求項１２】
前記検査予約管理手段が、検査の状況を表すステータス情報を設定し、前記第１の端末ステータス情報を変更する際に、関連する医療データの格納場所情報を患者属性情報に関連付け、
前記第１の端末において医療データが必要となった際に、前記第１の端末からの要求に応じて、検査予約情報に含まれている患者属性情報に基づいて医療データを読み出す医療データ管理部をさらに具備する請求項９記載のサーバ。
【手続補正２】
【補正対象書類名】明細書
【補正対象項目名】０００１
【補正方法】変更
【補正の内容】
【０００１】
本発明は、大規模な検査機器を有する医療機関において検査を受けるために、診療所等からその医療機関に対して検査を予約する方法及びシステム、並びに、それに用いるサーバに関する。
【手続補正３】
【補正対象書類名】明細書
【補正対象項目名】０００２
【補正方法】変更
【補正の内容】
【０００２】
従来より、病院等の医療機関又は医療施設において、放射線（Ｘ線、α線、β線、γ線、電子線、紫外線等）、超音波、ＭＲ（磁気共鳴）等を利用した医用画像撮影装置を用いて、医用画像が撮影されている。このような医用画像は、患者の病状の変化を知るために保管しておく必要があり、法律によっても所定期間の保管が義務付けられている。従って、医療施設においては、大量の医用画像を保管する必要が生じる。従来は、医用画像が撮影されたフィルム等を保管していたので、医用画像の保管スペースの確保や、管理作業及び検索作業が、医療施設にとって大きな負担となっていた。
【手続補正４】
【補正対象書類名】明細書
【補正対象項目名】０００７
【補正方法】変更
【補正の内容】
【０００７】
関連する技術として、下記の特許文献１には、検査予約、画像取得、診断結果データ取得、ＣＡＤ（computer aided diagnosis：コンピュータ診断支援）処理等のサービスが簡単に行えるサービス方法が開示されている。このサービス方法においては、サービスセンターが、依頼者端末からのサービスの申し込みを受けると、依頼者端末に対してサービス依頼病院受付けメニューの表示を要求し、依頼者のメニュー選択に基づいて、選択内容に対応する検索画面の表示を要求し、依頼者に検索画面中から地域、検査内容、希望日等の入力を促し、検索された情報を受け付ける。そして、サービスセンターは、依頼者に検索結果の取得と表示を要求し、対象病院の選択を促し、選択結果に基づいて対象病院予定表、病院情報を作成表示し、予約の要否を要求する。さらに、依頼者に予定表の取得と表示を要求し、予定表への登録と確認を促し、予約の確認が行われたら、予約の受付を行い、予定表を作成し、依頼者に予約結果の取得表示を要求する。
【手続補正５】
【補正対象書類名】明細書
【補正対象項目名】００６５
【補正方法】変更
【補正の内容】
【００６５】
ステータス管理部５３ｂは、受信制御部５３ａによって受信された予約状況データをスケジュールデータベース２５の記録媒体に記録して管理すると共に、受付端末２１又は画像表示端末２３から送信されるステータス変更の要求、又は、オペレータによって入力されるステータス変更の要求に応答して、予約状況データベース３６に格納されているステータスを変更するために、「予約済み」、「患者受付」、「検査完了」、「読影完了」等の変更すべきステータスと検査予約情報とを含むステータス変更要求信号を生成する。
【手続補正６】
【補正対象書類名】明細書
【補正対象項目名】０１３４
【補正方法】変更
【補正の内容】
【０１３４】
本発明は、大規模な検査機器を有する医療機関において検査を受けるために、診療所等からその医療機関に対して検査を予約するシステムにおいて利用することが可能である。